(57)【要約】  【課題】  織機幅の２倍以上の周長を有する袋織り織布を製織して、任意の周長の袋織された継ぎ目無し織布を芯体とする長尺シームレスベルトおよびその製造方法を提供することである。【解決手段】  ベルトの芯体となる織物を織る際に、たて糸Ｔを挿通する目孔７ａを備える綜絖７を４ｎ個配設し、一対２個の綜絖を順に開口動作しながらよこ糸Ｙを打ち込み２ｎ層のたて糸層を形成しながら筬打ち動作を行い、よこ糸Ｙを２回周回させる間にすべてのたて糸層に連続した多層織物構成として、織機の織幅の２ｎ倍の周長を有する筒状の継ぎ目無し織布ＷＡを織成し、長尺な袋織ＷＡＡを得る構成とした。【選択図】    図１
2005132591.tif 000002
【特許請求の範囲】
【請求項１】
袋織された織物を芯体として用いた長尺シームレスベルトの製造方法であって、前記織物を織る際に、たて糸を挿通する目孔を備える綜絖を４ｎ個配設し、一対２個の綜絖を順に開口動作しながらよこ糸を周回させるように挿入し筬打ち動作を行い、２ｎ層のたて糸層に２回周回させて織成していくことで、連続した織物構成を形成し、２ｎ層の多層織物からなる袋織を織布する構成として、織機の織幅の２ｎ倍の周長を有する袋織としたことを特徴とする長尺シームレスベルトの製造方法。
【請求項２】
袋織された織物を芯体として用いた長尺シームレスベルトの製造方法であって、前記織物を織る際に、たて糸を挿通する目孔を備える綜絖を４ｎ個配設し、開口動作する一対２個の綜絖をたて糸一層に割り当てて計２ｎ層のたて糸構成とし、第一層目のたて糸が挿通された一対の綜絖を上下に移動して前記第一層目のたて糸を開口する開口動作と、該開口部によこ糸を打ち込み筬打ちする筬打ち動作を実行した後、前記よこ糸を折り返して、次のたて糸層を開口して前記よこ糸を打ち込む開口動作と筬打ち動作を行い、この動作を連続して繰り返すと共に、最後のたて糸層から前記第一層目のたて糸層へ循環するようによこ糸を周回移動し、二回目の周回移動の際には、前記一対の綜絖の上下移動を逆方向にしてそれぞれのたて糸を開口して筬打ち動作を行いながらよこ糸を織り込む構成とし、前記よこ糸が２回周回する間にすべてのたて糸層を二回交互に挿通して連続した２ｎ層の織物構成とし、織機の織幅の２ｎ倍の周長を有する袋織としたことを特徴とする長尺シームレスベルトの製造方法。
【請求項３】
前記織物が四層織物であり、前記綜絖が８個であって、それぞれの層を構成する綜絖毎にそれぞれ開口自在とし、よこ糸を四層のたて糸層に２回周回させる際に、よこ糸の第一回目の周回移動と第二回目の周回移動とでそれぞれのたて糸層を構成する一対の綜絖を開口動作して、それぞれの層毎に織物組成すると共に、第一層目と第二層目との折り返し部と、第二層目と第三層目との折り返し部と、第三層目と第四層目との折り返し部と、第四層目から次の第一層目に至る折り返し部とが接結された織布を織成することで、織機の織幅の４倍の周長を有する袋織としたことを特徴とする請求項１または２に記載の長尺シームレスベルトの製造方法。
【請求項４】
前記織物が、ポリエステル、ポリアミド、ビニロン、レーヨン、アラミド繊維、綿のいずれかの繊維から織布されていることを特徴とする請求項１から３のいずれかに記載の長尺シームレスベルトの製造方法。
【請求項５】
前記ベルトの厚みが０．１〜２ｍｍであることを特徴とする請求項１から４のいずれかに記載の長尺シームレスベルトの製造方法。
【請求項６】
請求項１から５のいずれかに記載の製造方法により製造される長尺シームレスベルトであって、芯体となる織物を織成するよこ糸の折り返し部が、前記よこ糸とたて糸との織目が変化して外観上目視可能であることを特徴とする長尺シームレスベルト。
【発明の詳細な説明】
【技術分野】
【０００１】
本発明は、シームレスベルトに関し、特に、袋織された継ぎ目無し織布を芯体とする長尺シームレスベルトおよびその製造方法に関するものである。
【背景技術】
【０００２】
従来、平ベルトは、芯体となる織布にゴムシートやウレタンシート等を加圧接着したり、非加硫のゴムシート等を積層して加硫成形して製造されている。
【０００３】
また、長尺なベルトを製造する際には、芯体を所望される周長に継ぎ合わせたものにゴムシート等を接着或いは加硫成形して製造するか、もしくは、オープンタイプに製造したベルト自身を繋ぎあわせて製造していた（例えば、特許文献１参照）。
【０００４】
さらに、芯体として袋織した継ぎ目無し織布を用い、所定のベルト幅に切断した芯体を形成し、該芯体にゴムシート等を積層して加硫成形してシームレスベルトを製造することが知られている。
【０００５】
また、本出願人からも袋織の筒形織布を抗張体として適用したコンベアベルトおよびその製造方法に関する出願がなされている（例えば、特許文献２参照）。
【特許文献１】特開昭６３−２４２８４７号公報（第１−４頁、第１図）
【特許文献２】特公昭６３−３５５２６号公報（第１−３頁、第４図）
【発明の開示】
【発明が解決しようとする課題】
【０００６】
従来の繋ぎ合わせにより製造される長尺ベルトは、繋ぎ合わせのための精度を要する作業工程が増えてコストアップの要因となる。また、繋ぎ合わせ部は剛性が変化するため、プーリに巻き付く際の回転むらが発生するという問題がある。
【０００７】
また、従来の袋織される筒形織布は、織機幅の２倍の周長をしており、長尺のベルトを製造するには、芯体となる織布を製織する織機幅を大きくしなければならず、大型な織機を準備する必要がある。
【０００８】
そのために、所要の周長をした長尺シームレスベルトを袋織した継ぎ目無し織布を芯体として製造することは困難であった。
【０００９】
本発明の目的は、上記問題点を解決するために、織機幅の２倍以上の周長を有する袋織織布を製織して、任意の周長の袋織された継ぎ目無し織布を芯体とする長尺シームレスベルトおよびその製造方法を提供することである。
【課題を解決するための手段】
【００１０】
上記の目的を達成するために請求項１に係る発明は、袋織された織物を芯体として用いた長尺シームレスベルトの製造方法であって、前記織物を織る際に、たて糸を挿通する目孔を備える綜絖を４ｎ個配設し、一対２個の綜絖を順に開口動作しながらよこ糸を周回させるように挿入し筬打ち動作を行い、２ｎ層のたて糸層に２回周回させて織成していくことで、連続した織物構成を形成し、２ｎ層の多層織物からなる袋織を織布する構成として、織機の織幅の２ｎ倍の周長を有する袋織としたことを特徴としている。
【００１１】
上記の構成を有する請求項１に係る発明によれば、織機の織幅の２倍以上の周長の袋織からなる継ぎ目無し織布を芯体とする長尺なシームレスベルトを容易に製造することができる。
【００１２】
請求項２に係る発明は、袋織された織物を芯体として用いた長尺シームレスベルトの製造方法であって、前記織物を織る際に、たて糸を挿通する目孔を備える綜絖を４ｎ個配設し、開口動作する一対２個の綜絖をたて糸一層に割り当てて計２ｎ層のたて糸構成とし、第一層目のたて糸が挿通された一対の綜絖を上下に移動して前記第一層目のたて糸を開口する開口動作と、該開口部によこ糸を打ち込み筬打ちする筬打ち動作を実行した後、前記よこ糸を折り返して、次のたて糸層を開口して前記よこ糸を打ち込む開口動作と筬打ち動作を行い、この動作を連続して繰り返すと共に、最後のたて糸層から前記第一層目のたて糸層へ循環するようによこ糸を周回移動し、二回目の周回移動の際には、前記一対の綜絖の上下移動を逆方向にしてそれぞれのたて糸を開口して筬打ち動作を行いながらよこ糸を織り込む構成とし、前記よこ糸が２回周回する間にすべてのたて糸層を二回交互に挿通して連続した２ｎ層の織物構成とし、織機の織幅の２ｎ倍の周長を有する袋織としたことを特徴としている。
【００１３】
上記の構成を有する請求項２に係る発明によれば、織機の織幅の２倍以上の周長をした袋織を容易に織布することができ、該袋織された織物からなる継ぎ目無し織布を芯体とする長尺シームレスベルトを製造することができる。
【００１４】
請求項３に係る発明は、前記織物が四層織物であり、前記綜絖が８個であって、それぞれの層を構成する綜絖毎にそれぞれ開口自在とし、よこ糸を四層のたて糸層に２回周回させる際に、よこ糸の第一回目の周回移動と第二回目の周回移動とでそれぞれのたて糸層を構成する一対の綜絖を開口動作して、それぞれの層毎に織物組成すると共に、第一層目と第二層目との折り返し部と、第二層目と第三層目との折り返し部と、第三層目と第四層目との折り返し部と、第四層目から次の第一層目に至る折り返し部とが接結された織布を織成することで、織機の織幅の４倍の周長を有する袋織としたことを特徴としている。
【００１５】
上記の構成を有する請求項３に係る発明によれば、織機に織幅の４倍の周長の継ぎ目無し織布を芯体とする長尺なシームレスベルトを容易に製造することができる。
【００１６】
請求項４に係る発明は、前記織物が、ポリエステル、ポリアミド、ビニロン、レーヨン、アラミド繊維、綿のいずれかの繊維から織布されていることを特徴としている。
【００１７】
上記の構成を有する請求項４に係る発明によれば、種々の用途に応じた芯体を得ることができ、種々の継ぎ目無し織布を芯体とする長尺なシームレスベルトを容易に製造することができる。
【００１８】
請求項５に係る発明は、前記ベルトの厚みが０．１〜２ｍｍであることを特徴としている。
【００１９】
上記の構成を有する請求項５に係る発明によれば、種々のプーリ径に対応した搬送ベルトや平ベルトの長尺シームレスベルトを得ることができる。
【００２０】
請求項６に係る発明は、請求項１から５のいずれかに記載の製造方法により製造される長尺シームレスベルトであって、芯体となる織物を織成する際に、織機幅に相当するよこ糸の折り返し部が、前記よこ糸とたて糸との織目が変化して外観上目視可能であることを特徴としている。
【発明の効果】
【００２１】
本発明によれば、袋織された継ぎ目無し織布を芯体とする任意の周長の長尺シームレスベルトを容易にまた安価に製造することができる。
【発明を実施するための最良の形態】
【００２２】
織機幅の２倍以上の周長を有する袋織り織布を製織することを可能とし、任意の周長をした袋織された継ぎ目無し織布を芯体とする長尺シームレスベルトを製造するという目的を、袋織する際に、たて糸を挿通する綜絖を４ｎ個備え、一対２個の綜絖を順に開口して２ｎ層のたて糸層を形成しながら筬打ち動作を行い、よこ糸をｎ回周回させる間にすべてのたて糸層に連続した織物構成として、２ｎ層の多層織物からなる袋織を織布する構成とし、織機の織幅の２ｎ倍の周長を有する袋織とすることで実現した。
【実施例】
【００２３】
以下、本発明に係る長尺シームレスベルトおよびその製造方法の実施例について、図１から図６に基づいて説明する。
【００２４】
図１は本発明に係る長尺シームレスベルトの一構成例を示す断面図である。図２は織機におけるよこ糸の織組成を示す模式図である。図３は織機の開口動作と筬打ち動作を示す概略説明図である。図４は織機における開口動作の説明図である。図５は本発明に係る長尺な袋織の模式図であり、図６は従来の袋織の模式図である。
【００２５】
図１に示す長尺シームレスベルト１は、芯体２に表側カバーゴム層３と裏側カバーゴム層４とがコーティング（積層）された環状の無端ベルトである。前記芯体２は例えばたて糸Ｔとよこ糸Ｙとで織布された織物あるいは該織物に接着ゴムをコーティングしたものであって、ベルト形状に環状にシームレス構成された織物を採用すると、芯体が滑らかな一様な連続構造となり、該芯体の表面に一体的にゴム組成体をコーティングして、シームレスベルトを製造することができる。そのために、芯体２に袋織された織物を適用すると段差や継ぎ目の無いベルトが製造可能となり好適である。
【００２６】
一般に、袋織とは、上下二層にたて糸を配列して、よこ糸がその二層のそれぞれのたて糸の開口された杼口を周回するように一往復させ、次にそれぞれのたて糸を上下逆にして開口し、よこ糸を再度周回させて織物を織成する。この時に、幅方向両端部のよこ糸折り返し部のみが接結され中央部が離間した状態となり、筒状に織成された織物となる。図６に従来の袋織３０の模式図を示しているが、第一層目のたて糸Ａ３１と第二層目のたて糸Ａ３２とをよこ糸Ｙが周回するように螺旋状に二往復して筒状の織物を織成しているのが判る。
【００２７】
そのために、通常は二層織物構成とし、織機の幅の２倍の周長をした袋織織物を織成するだけであり、製造するシームレスベルトの周長に合わせた織幅とする必要がある。織機の大きさは所定の規定された幅であるので、従来の方法では長尺なシームレスベルトの芯体をすぐに製造することはできず、織機幅の２倍までの周長の芯体２が製造可能であった。そこで、本実施例では、二層（ｎ＝１の２ｎ層となる）以上の多層織物構成からなる袋織とし、例えば、図２に示すように、織成する際に上下四層（ｎ＝２の２ｎ層となる）にたて糸を配列して、四層織物構成とした。
【００２８】
図中に示すＡ１はたて糸の第一層目を示し、Ａ２は第二層目を示し、Ａ３は第三層目を示し、Ａ４は第四層目を示している。また、Ｂ１はよこ糸の動きを示しており、一部拡大図に示すように、一回目の周回移動Ｂ１ａと二回目の周回移動Ｂ１ｂとでたて糸Ａ１層と織物構成し第一層目の織布を織成するものである。
【００２９】
同様に、たて糸の第二層目Ａ２とよこ糸移動Ｂ２（二回の周回移動）とで第二層目の織布を織成し、たて糸の第三層目Ａ３とよこ糸移動Ｂ３とで第三層目の織布を織成し、たて糸の第四層目Ａ４とよこ糸移動Ｂ４とで第四層目の織布を織成するように構成している。
【００３０】
また、よこ糸を周回させるために、よこ糸の折り返し部が存在し、第一層目から第二層目への折り返し部Ｃ１と、第二層目から第三層目への折り返し部Ｃ２と、第三層目から第四層目への折り返し部Ｃ３と、第四層目から第一層目への折り返し部Ｃ４とをそれぞれ備えている。
【００３１】
前記それぞれの折り返し部では、たて糸とよこ糸との織目が少し変化するために、外観上目視にてその織目変化を確認することができる。つまり二層の織物構成では二箇所に前記織目変化が観察され、四層の織物構成では四箇所に、２ｎ層の織物構成においては２ｎ箇所の織目変化が観察されることになる。
【００３２】
前記織目変化とは、たて糸とよこ糸との織目配列が微妙に変化することであって、厚みは変化せずにただ織目の乱れが外観上目視可能となるものである。それ故、該織物を芯体としてベルトを製造した際に、ベルト品質が低下することもなく、継ぎ目の無い一定肉厚の長尺シームレスベルトを製造することができる。
【００３３】
前記した四層のたて糸構成とするために、たて糸を通す目孔を備える綜絖（ヘルドともいう）を８個配設して、それぞれの一層を構成するたて糸層にそれぞれ２個の綜絖を配設して、各層毎にそれぞれ開口自在としている。つまり、前記第一層目Ａ１を構成するたて糸を１本毎に互い違いに２グループに分割して２個の綜絖に目通しし、該第一層目Ａ１にてたて糸同士が開口可能な構成としている。それぞれの層毎にたて糸を開口してよこ糸を打ち込んでいくことで、上下四層の多層織物を構成して、織機の織幅の４倍の周長を有する袋織を製造可能とした。
【００３４】
つまり、２ｎ層の多層織物を構成する際には、その二倍の４ｎ個の綜絖を備えることが必要となり、それぞれのたて糸層毎に開口動作と筬打ち動作を繰り返して織成していくことになる。
【００３５】
前記各層のたて糸をそれぞれ開口してよこ糸を二回挿通させるが、よこ糸の第一回目の周回移動と第二回目の周回移動とでそれぞれ逆方向に開口操作して、それぞれの層毎に、たて糸とよこ糸とが織り込まれて織物組成されると共に、第一層目と第二層目との折り返し部Ｃ１と、第二層目と第三層目との折り返し部Ｃ２と、第三層目と第四層目との折り返し部Ｃ３と、第四層目から次の第一層目に至る折り返し部Ｃ４とで接結された織布を織成することになって、四層の織物構成とした本実施例においては、織機の織幅のおおよそ４倍の周長を有する袋織を織成することができる。つまり、２ｎ層の織物構成の場合には、織機の織幅の２ｎ倍の周長をした袋織とすることができる。
【００３６】
図３により織機の開口動作と筬打ち動作により織成する機織について説明する。たて糸ビーム５に巻回されている多数のたて糸Ｔをテンションローラ６を介して、綜絖７の目孔７ａを通り、筬８の櫛状の糸通路に挿通して、ガイドローラ９から織布ビーム１０に織成された織布を巻き取る構成である。複数個の綜絖７を二分割してそれぞれ上下に移動して開口し、よこ糸Ｙを打ち込む杼口を形成する。前記杼口とはよこ糸Ｙが巻回された木管を保持する杼（シャトルともいう）を挿通可能にする開口部を指しており、綜絖７を二分割して上下に移動させることを織機の開口動作と称する。
【００３７】
所定のたて糸Ｔを開口し、よこ糸Ｙを打ち込んで筬８を矢印Ｄ方向に駆動して、前記よこ糸Ｙを、織布が形成される織前Ｗａに押し付けるように整列する。この動作を筬打ち動作という。このように、開口動作と筬打ち動作を繰り返し、所定の巻取速度で織布ビーム１０を巻き取ることで、織成される織物Ｗを巻き取っていく。
【００３８】
次に図４により、本実施例の四層構成の織布工程について説明する。たて糸の第一層目Ａ１を綜絖７Ａ、７Ｂの目孔に挿通し、第二層目Ａ２は綜絖７Ｃ、７Ｄの目孔に、第三層目Ａ３は綜絖７Ｅ、７Ｆの目孔に、第四層目Ａ４は綜絖７Ｅ、７Ｆの目孔にそれぞれ挿通する。
【００３９】
次いで、図４（ａ）に示すように、綜絖７Ａを上昇し、その他の綜絖を下降させてたて糸Ｔ１とＴ２との間を開口して、よこ糸Ｙを打ち込み筬打ちを行う。この際のよこ糸の打ち込みは、前記よこ糸Ｙを巻回した木管を備える杼（図示せず）を織機の織幅分移動させて行うものである。その後、図４（ｂ）に示すように、綜絖７Ａ、７Ｂと第二層目Ａ２のたて糸Ｔ３が挿通している綜絖７Ｃとを上昇し、その他の綜絖を下降させてたて糸Ｔ３とＴ４との間を開口し、向こう側にある杼を手前側に移動して、よこ糸Ｙを打ち込み筬打ちを行う。つまり、前記杼が織機幅を１往復する間にたて糸Ｔが第一層目Ａ１と第二層目Ａ２とを挿通する。
【００４０】
それから、図４（ｃ）に示すように、第三層目Ａ３のたて糸Ｔ５を保持する綜絖７Ｅとたて糸Ｔ６を保持する綜絖７Ｆとの間を開口して、再度よこ糸Ｙを打ち込み筬打ち後、図４（ｄ）に示すように、第四層目Ａ４のたて糸Ｔ７を保持する綜絖７Ｇと、たて糸Ｔ８を保持する綜絖７Ｈとの間を開口してよこ糸Ｙを挿通し筬打ちを行う。つまり、前記杼が織機幅を２往復する間によこ糸Ｙが四層全てのたて糸層を周回移動することになる。その後、図４（ａ）に示す第一層目の織布工程に進み、次の周回移動を行う構成である。
【００４１】
上記のような織布工程にて、図５（ａ）の全体斜視図に示すようなよこ糸Ｙがジグザグに且つ螺旋状に織成された筒状の継ぎ目無し織布ＷＡを得ることができる。また、ジグザグに内側に折り畳まれた部分を広げると、周長の長い袋織ＷＡＡとなる。
【００４２】
図５（ｂ）に示す概略断面図は、筒状の袋織２０を構成するたて糸Ｔ１〜Ｔ８とよこ糸Ｙとの織成の状態を示す模式図であって、よこ糸Ｙが２回周回する間に、それぞれのたて糸と織り込まれていく様子を示している。
【００４３】
前記周長の長い袋織ＷＡＡの周方向をベルトの周方向とし、所定の幅Ｈにて切断することで、幅がＨで長尺なシームレスベルトの芯体となる袋織の織布を得ることができる。つまり、前記よこ糸Ｙがベルト周方向の糸であり、たて糸Ｔがベルト幅方向の糸となる。
【００４４】
上記したように、四層の多層織物を織成して織機幅のおおよそ４倍の周長を有する袋織とする製造方法について説明したが、本製造方法によれば、たて糸を挿通する綜絖を４ｎ個備え、一対２個の綜絖を上下駆動し、よこ糸を一回往復させて筬打ちして、よこ糸を２ｎ回往復させる間にすべての綜絖を上下駆動しその度に筬打ちすることで複数層の２ｎ層織物を織布する構成として、それぞれの層の織布の一端を接結するようなたて糸配列とすることで、織機の織幅の２ｎ倍の周長を有する袋織を製造することも可能である。
【００４５】
そのために、本製造方法によれば、任意の周長をした長尺なシームレスベルトを製造することができる。
【００４６】
前記たて糸Ｔおよびよこ糸Ｙとしては、ポリエステル、ポリアミド、ビニロン、レーヨン、アラミド繊維、綿等のいずれかの繊維を適宜選択して使用することができる。
【００４７】
前記周長の長い袋織ＷＡＡを所定の幅Ｈに輪切りして長尺シームレスベルト１の芯体として使用する。それから、前記芯体の片側あるいは両側にゴム組成体等をコーティングしてベルト体を成形することになる。または、広幅に成形したベルト体を所定幅に輪切りすることで、小さい幅の長尺シームレスベルト１を得ることもできる。
【００４８】
図１に示す表側カバーゴム層３は、ベルト体の搬送面を形成する面であって、搬送物により必要な機能（固さ、滑り、剛性等）、意匠（色彩、絞、模様等）が要求され、それに相当する材料（例えば、天然ゴム、ウレタンゴム、ブタジエンゴム、シリコンゴム等のゴム組成体）、形状（厚さ、表面形状等）が適宜選択される。また、裏側カバーゴム層４はベルト体を駆動するプーリーに接する面であって、補強帆布や所定のゴム組成体等を積層したものである。
【００４９】
また、長尺シームレスベルト１の厚みＥは、ベルト強度や柔軟性に関係して、搬送系を構成する最小プーリ径を設計する大事な寸法であって、本実施例では前記ベルトの厚みＥを０．１〜２ｍｍとした。そのために、比較的低強度のベルトによる小径のプーリを備える小型な搬送系から比較的大きな径のプーリを備える搬送系にまで適用可能な長尺シームレスベルトとすることができる。
【００５０】
ベルトの厚みＥが０．１ｍｍ以下では、十分なベルト強度が得られずに、搬送ベルトとして不適当であり、また、ベルトの厚みＥが２ｍｍ以上になると、最小プーリ径が大きくなって、搬送系が必要以上に大きくなるからである。
【００５１】
上述したように、本実施例に係る長尺シームレスベルト１は、袋織された織物を芯体２として用いて製造するとしているので、前記芯体２に段差や継ぎ目等が存在せず滑らかな表面である。そのために、全体的に薄いベルトが製造可能であると共に、前記芯体２に表側カバーゴム層３や裏側カバーゴム層４をコーティングしてベルト体を構成しても、ベルト表面に段差等が生じずに、均一な厚みの滑らかなベルトとすることができる。
【００５２】
さらに、織機の織幅の２ｎ倍までの周長を有する袋織からなる織物を織成することができるので、従来の織機では対応できなかった長尺シームレスベルトを大型織機の導入なしに製作することが可能となり、任意の周長のシームレスベルトを容易にまた安価に得ることができる。
【００５３】
また、織機幅に相当するよこ糸の折り返し部が、外観上目視可能な織目を形成しているので、芯体に袋織された織物を使用したシームレスベルトであることが、目視にて確認可能となる。
【図面の簡単な説明】
【００５４】
【図１】本発明に係る長尺シームレスベルトの一構成例を示す断面図である。
【図２】織機におけるよこ糸の織組成を示す模式図である。
【図３】織機の開口動作と筬打ち動作を示す概略説明図である。
【図４】織機における開口動作の説明図であって、（ａ）は第一層目のたて糸を開口してよこ糸を打ち込んでいるところを示し、（ｂ）は第二層目のたて糸を開口したところ、（ｃ）は第三層目のたて糸を開口したところ、（ｄ）は第四層目のたて糸を開口したところを示している。
【図５】本発明に係る長尺な袋織の模式図であって、（ａ）は全体斜視図であり、（ｂ）は概略断面図である。
【図６】従来の袋織の模式図である。
【符号の説明】
【００５５】
１  長尺シームレスベルト
２  芯体
３  表側カバーゴム層
４  裏側カバーゴム層
７  綜絖
７ａ  目孔
８  筬
１０  織布ビーム
Ｅ  ベルトの厚み
Ｆ  ベルトの幅
Ｔ  たて糸
Ｙ  よこ糸
Ｗ  織物
【図１】
2005132591.tif 000003
【図２】
2005132591.tif 000004
【図３】
2005132591.tif 000005
【図４】
2005132591.tif 000006
【図５】
2005132591.tif 000007
【図６】
2005132591.tif 000008